【事件の表示】
　特願２００２−１６６７７６「デジタルコピーシステム及び試しコピー方法」拒絶査定不服審判事件〔平成１６年　１月１５日出願公開、特開２００４−　１５４７５〕について、次のとおり審決する。
【結　論】
　本件審判の請求は、成り立たない。
【理　由】
第１　手続きの経緯
　本願は、平成１４年６月７日の出願であって、平成１８年９月１２日付で拒絶査定がされ、これに対し、同年１０月１９日に拒絶査定に対する審判請求がなされるとともに、同年１１月７日付けで手続補正がなされたものである。
　
第２　手続補正の却下
　１　補正却下の決定の結論
　平成１８年１１月７日付けの手続補正を却下する。
　
　２　理由
　（１）　補正後の本願発明
　本件補正後の本願の発明は、平成１８年１１月７日付けで補正された特許請求の範囲の請求項１ないし８に記載されたものと認められるところ、その請求項１に記載された発明（以下、「本願補正発明」という。）は、次のとおりのものである。
　
「【請求項１】
　読み取り装置で原稿を読み取り画像データを生成し、画像データを外部記憶装置に保存し、ユーザの設定した出力設定に従って保存した画像データを印刷機で印刷するデジタルコピーシステムにおいて、
　複数頁からなる一連の原稿の印刷にて複数部数出力指定であった場合に１部数分の印刷だけを出力設定に従って出力させ、且つ、
　前記１部数分の印刷がなされた一連の原稿のプレビュー画像を表示装置に表示させ、且つ、
　前記表示装置によりプレビュー画像が表示された前記一連の原稿の画像データに関る編集処理を編集手段により実行させる為の編集要求を、前記表示装置を介して、ユーザから受付け可能にし、且つ、該一連の原稿の画像データに関る前記編集要求に応じた編集処理を、前記編集手段により、実行させ、且つ、
　前記編集処理済みの前記一連の原稿の画像データの印刷を前記印刷機により実行可能にするものであって、
　前記１部数分の印刷がなされた前記一連の原稿のプレビュー画像を前記表示装置により表示させる場合でも、前記一連の原稿に含まれる全ページのプレビュー画像を前記表示装置により表示させる事無く、前記一連の原稿の印刷を続行させる為の印刷続行要求を、少なくとも前記一連の原稿の１ページ分のプレビュー画像は表示させたままの状態で、前記表示装置を介して、ユーザから受付け可能にし、且つ、前記表示装置を介して該印刷続行要求をユーザから受付けた場合に、前記編集手段による編集処理の実行無しに、前記一連の原稿の印刷を前記印刷機により続行可能にする、ことを特徴とするデジタルコピーシステム。」
　
　本件補正は、平成１８年２月１４日付け手続補正書により補正された特許請求の範囲の請求項１に記載した発明を特定するために必要な事項である「印刷続行要求を、前記表示装置を介して、ユーザから受付け可能」とする処理の際に、「少なくとも前記一連の原稿の１ページ分のプレビュー画像は表示させたままの状態で」という限定を付加したものであり、かつ、補正後の請求項１に記載された発明は、補正前の請求項１に記載された発明と、産業上の利用分野及び解決しようとする課題が同一であるので、本件補正は、平成１８年改正前特許法第１７条の２第４項第２号の特許請求の範囲の減縮を目的とするものに該当する。
　そこで、本件補正後の特許請求の範囲の請求項に記載された発明が特許出願の際独立して特許を受けることができるものであるか（平成１８年改正前特許法１７条の２第５項において準用する同法１２６条５項の規定に適合するか）について以下に検討する。
　
　（２）　引用例
　原査定の拒絶の理由として引用された特開平９−２７８７５号公報（以下、「引用例１」という。）には、次の事項が図面と共に開示されている。（記載箇所は段落番号等で表示）
　
　ア　「【要約】
【目的】電子ソートによる画像データの印刷において、作成されたコピーに不具合があった場合に多量の紙の無駄を省き、手作業の発生を防止する。
【構成】コントローラ１は、コントロールパネル３から設定される電子ソート機能で試し印刷ボタンが押下された際、スキャナ部140 で原稿を読み取り、読み取った画像データを蓄積装置４に蓄積し、同時に画像形成部160 で印刷を行い、メモリ５には蓄積装置４に蓄積した画像データのアドレス値を保存して１部目の印刷が終了した時点で一時停止し、ユーザによる１部目のコピーの確認結果に応じたコントロールパネル３からの操作で２部目以降の蓄積装置４に蓄積した画像データの印刷を行う。」
　
　イ　「【００１５】
【実施例】以下、この発明の一実施例について図面を参照して説明する。図２は、この発明に係る画像形成装置としての電子ソート機能を有するデジタル複写機の全体構成を概略的に示すものである。この装置は読取手段としてのスキャナ部140 及びプリンタ等の印刷を行う画像形成手段としての画像形成部160を備え、上部に自動原稿送り装置（ＡＤＦ：オート  ドキュメント  フィーダ）200 を装着している。」
　
　ウ　「【００２７】図１は、この発明に係る画像形成装置の制御回路を示すものである。すなわち、この制御回路は、画像形成装置全体を制御するＣＰＵ、ＲＯＭ、ＲＡＭ等で構成されるコントローラ１が設けられている。このコントローラ１には、種々の操作を行うコントロールパネル３、ハードディスク等の画像データを蓄積する蓄積装置４、ページ管理テーブル５ａおよび片面原稿か両面原稿かの情報を保存しておくためのメモリ５、及び上述したスキャナ部140 、画像形成部160 、自動原稿送り装置200 が接続されている。
【００２８】図３は、コントロールパネル３の概略構成を示すものである。コントロールパネル３は、部数表示部３ａ、倍率表示部３ｂと倍率設定ボタン３ｃ、濃度表示部３ｄと濃度設定ボタン３ｅ、テンキー３ｆ、クリア／ストップボタン３ｇ、オールクリアボタン３ｈ、コピーボタン３ｉ、ページ表示部３ｊ、試し印刷ボタン９０、入力終了ボタン９１、表／裏ボタン９２、差し替えボタン９３、逆順出力ボタン９４とから構成されている。
【００２９】本実施例のデジタル複写機においては、電子ソート機能にコントロールパネル３の試し印刷ボタン９０が押下されることにより実行される「試し印刷」機能が設けられている。この試し印刷機能は、先行印刷機能のように複数部のコピーを行う際、原稿をスキャナ部140 で１枚読み取る度にその読み取った画像データを蓄積装置４に蓄積すると同時に、画像形成部１６０で印刷も行うことによって１部目のコピーを作成するものである。また、この試し印刷機能は、スキャナ部140 での全原稿の読み込みと１部目の印刷が終了した時点で複写処理を一時停止し、ユーザによる操作を受け付ける待機状態となる機能でこの待機中に設定を変更等を行うものである。
【００３０】複写処理の一時停止中にユーザは以下の操作を行うことができる。
１．印刷の再開
２．逆順出力の指定
３．印刷濃度の変更
４．印刷倍率の変更
５．残り複写部数の変更
６．ページ差し替え
７．印刷の中止
ユーザが印刷再開を指示すれば、デジタル複写機は変更された設定や差し替えられた画像データを用いて２部目以降を印刷する。試し印刷機能によりユーザは複数部のコピーを行う際に、試しとして１部目を印刷することができ、ユーザがその出来具合を確認した後、デジタル複写機の蓄積装置４に蓄積された画像データを用いて画像形成部160 において最適な出力形態で印刷されたコピーを２部目以降に得ることができる。
【００３１】次に、このような構成においてデジタル複写機の試し印刷時の複写処理動作を図４のフローチャートを参照して説明する。コントローラ１は、ユーザがコントロールパネル３から複写部数などの複写動作の設定を行うと共に試し印刷ボタン９０を押下することにより試し印刷処理を開始する（ＳＴ１）。」
　
　エ　「【００３７】印刷の再開：ユーザが再びコピーボタン３ｉを押すと（ＳＴ７）、コントローラ１は、蓄積装置４に蓄積された画像データを用いて２部目以降の印刷処理を再開する（ＳＴ８）。ユーザがページ差し替えなど他の操作を行った場合、例えばページ差し替えが行われた場合はその画像データを用い、あるいは出力設定が変更された場合にはその設定に従って２部目以降の印刷が行われ、残りの複写部数分のコピーが作成される。２部目以降の印刷では、設定されているフィニッシャ設定に従って出力される。」
　
　オ　「【００４２】ページ差し替え：ユーザが差し替えボタン９３を押した場合には、ページ差し替え処理によって蓄積されている画像データをページ単位で新しく読み込む画像データに変更することができる（ＳＴ１５）。この処理について詳しくは後述する。」
　
　カ　【００５５】図６の（ａ），（ｂ）は、全部でＮページの片面原稿を試し印刷機能を用いて原稿の入力処理を行った場合の蓄積装置４内に蓄積される画像データの状態と、ページ管理テーブル５ａの状態を示している。
【００５６】図６の（ａ）に示す画像データの蓄積方法では、蓄積装置４内のアドレス値Ａ1 で示される場所に１ページ目の画像データが蓄積され、２ページ目の画像データはアドレス値Ａ2 で示される場所に蓄積されるというように画像データの蓄積がなされており、Ｎページ目の画像データはアドレス値Ａn の位置に蓄積されている。そしてコントローラ１によってページ管理テーブル５ａには、原稿が読み込まれた順番にその画像データを蓄積した蓄積装置４のアドレス値が保存される。
【００５７】図６の（ｂ）で示すページ管理テーブル５ａには、テーブル番号１に対応する値としてアドレス値Ａ1 が保存され、テーブル番号２にはＡ2 が保存されるというようにしてアドレス値が保存され、テーブル番号ｎにはＮページ目の画像データの位置を表すアドレス値Ａn が保存されている。」
　
　キ　「【００５９】なお、原稿が両面原稿であるか、片面原稿であるかはメモリ５上に保持され、コントローラ１はいつでもその情報を参照することができる。次に、ページ差し替え処理におけるユーザの操作と複写機の動作を図７のフローチャートを参照して説明する。
【００６０】ページ差し替え処理は、試し印刷機能において１部目の印刷を終了し、一時停止している間にユーザからの指示によって行うことができる。この機能は１部目のコピーにおいて、不具合のあるページがあった場合にそのページのみの再読み込みを行わせ、蓄積装置４に蓄積されている画像データのうち指定したページの画像データと新しく読み込んだ画像データとを蓄積装置４の内部で差し替えを行うものである。
【００６１】また、デジタル複写機のスキャナ部140 に原稿を読み込む際の濃度を調整する機能を持たせることによって、新しく読み込ませるページの読み込み濃度を調整することができる。ユーザは以下の操作によってページ差し替えを行うことができ、画像形成部160 で印刷が再開されたときにコントローラ１は、差し替えられた画像データを用いて２部目以降の印刷を行う。
【００６２】コントローラ１は、試し印刷機能での一時停止状態でユーザからの操作を受け付ける待機状態となっている（ＳＴ４１）。ユーザが差し替えボタンを押す（ＳＴ４２）とコントローラ１は、ページ差し替え処理を開始し（ＳＴ４３）、ユーザに差し替えを行うページ番号を問い合わせる処理を行う（ＳＴ４４）。
【００６３】ユーザはテンキー３ｆによってそのページ番号を入力し（ＳＴ４５）、原稿が両面原稿であった場合は表／裏ボタン９２により表か裏かを指定し、ユーザの指定がなければコントローラ１は自動的に表ページを設定する。
【００６４】ユーザは、原稿台２に原稿を用意し、このときに原稿の読み込み濃度の調整を行うことができる。ユーザは、コントロールパネル３の濃度設定ボタン３ｅを用いて原稿読み込みの濃度を調整することができる（ＳＴ４６）。ユーザは、コピーボタン３ｉを押して原稿の読み込みをコントローラ１に指示する（ＳＴ４７）。
【００６５】コントローラ１は、コントロールパネル３で設定された原稿読み込み濃度で、用意された原稿の１ページ分を読み取る処理を行い（ＳＴ４８）、読み取った画像データを内部の蓄積装置４に追加蓄積を行い、同時にそのページの印刷処理も画像形成部160 で行う（ＳＴ４９）。画像データは、蓄積装置４内の予め蓄積されている画像データに追加して蓄積される。
【００６６】コントローラ１は、ページ管理テーブル５ａを更新し、ページ差し替え処理を行ってページ差し替え処理を終了し（ＳＴ５１）、再び待機状態に戻す（ＳＴ５２）。
【００６７】コントローラ１は、ユーザからの操作を受け付ける状態となり、ユーザは再び複写処理の一時停止中に行うことのできる操作を行うことができる（ＳＴ５３）。」
　
　ク　【図４】には、一時停止・ユーザからの操作を受け付ける状態（ＳＴ６）から、ユーザが、ページ差し替えボタンを押すことなく、再びコピーボタンを押すと（ＳＴ７）、２部目以降の印刷処理（ＳＴ８）が行われるフローが記載されている。
　
　前掲アないしクの記載及び図面によると、引用例１には、
　
「スキャナ部で原稿を読み取り、読み取った画像データを蓄積装置に蓄積し、変更された出力設定を用いて、蓄積された画像データを用いて画像形成部において印刷するデジタル複写機において、
　Ｎページの原稿で複数部のコピーを行う際、ユーザがコントロールパネルから複写部数などの複写動作の設定を行うと共に試し印刷ボタンを押下し、１部目の印刷を終了した時点で一時停止し、
　部数表示部やページ表示部、差し替えボタン、コピーボタンなどから構成されるコントロールパネルのページ差し替えボタンを押すことによってページ差し替え処理を開始し、コントローラは、ページの再読み込みを行わせ、蓄積装置４に蓄積されている画像データのうち指定したページの画像データと新しく読み込んだ画像データとを蓄積装置の内部で差し替えを行い、
　印刷が再開されたときに、差し替えられた画像データを用いて２部目以降の印刷を前記画像形成部により行うものであって、
　印刷の再開として、ユーザがページ差し替えボタンを押すことなく、前記コントロールパネルのコピーボタンを押すと、蓄積装置に蓄積された画像データを用いて前記画像形成部により２部目以降の印刷を再開する、ことを特徴とするデジタル複写機。」
　
の発明（以下、「引用発明１」という。）が記載されていると認められる。
　
　原査定の拒絶の理由として引用された特開平９−７３５３０号公報（以下、「引用例２」という。）には、次の事項が図面と共に開示されている。（記載箇所は段落番号等で表示）
　
　ケ　「【００２２】本画像ファイリング装置は、以上のような構成を備え、資料原稿から画像を読み取って保存すると共に、操作者の指示に従って、保存済みの資料に対して並べ替えやページの削除・追加等の種々の編集作業を行う。ここで、本画像ファイリング装置が行う主な処理として、上記の保存処理と編集処理とを挙げ、それぞれ説明すると以下のとおりである。」
　
　コ　「【００２８】次に、本画像ファイリング装置にて行われる編集処理の大まかな流れについて、図４を参照しながら説明すると以下のとおりである。
【００２９】まず、表示手段３４に、例えば図２８に示すような分割一覧表示画面が表示される（Ｓ１１）。この画面の下部に表示されるファンクションキーを操作者が指示する（Ｓ１２）ことによって、下記の７種類の編集処理が実行される。つまり、（１）両面原稿から読み取った画像をページの順に並べ替える並べ替え処理（Ｓ１３）、（２）保存されている画像の中から白紙画像を自動的に認識して削除する白紙削除処理（Ｓ１４）、（３）保存されている画像の中から重複している画像を認識して削除する重複削除処理（Ｓ１５）、（４）画面に一覧表示されたページから操作者が選択した画像を削除する頁削除処理（Ｓ１６）、（５）画面に一覧表示された画像の中で、操作者の指示に従って互いにその位置を入れ替える頁入替え処理（Ｓ１７）、（６）画面に一覧表示された資料に対し、操作者が選択した位置に新たに画像を追加する頁追加処理（Ｓ１８）、（７）画面に一覧表示されたページの位置を移動させる頁移動処理（Ｓ１９）、の７種類の処理である。
【００３０】これらの処理が操作者の指示に応じて行われた後、操作者が編集処理の終了を指示すると、編集処理の内容が二次記憶手段３３へ転送されて記憶され（Ｓ２０）、編集処理が終了する。
【００３１】上記Ｓ１１で表示される分割一覧表示画面は、図２８に示すように、その下部には、キー４０ないしキー５０までの複数のキーで構成されたファンクションキーが表示され、操作者がキーを選択すると、選択されたキーに対応する処理が起動されるようになっている。例えば、「並替え」と表示されているキー４１が選択されると、前記したＳ１３の並べ替え処理が起動される。なお、キー５０が選択されると、現在キー４０ないしキー５０が表示されている分割一覧表示画面の下部に、現在図示されていない他のファンクションキーが表示される。
【００３２】図２８に示されている主なキーと前記した編集処理との対応は次のとおりである。すなわち、「白紙削」と表示されたキー４３はＳ１４、「重複削」と表示されたキー４２はＳ１５、「頁削除」と表示されたキー４７はＳ１６、「頁入替」と表示されたキー４６はＳ１７、「頁追加」と表示されたキー４４はＳ１８、「頁移動」と表示されたキー４９はＳ１９をそれぞれ選択的に起動させる。また、「拡大」と表示されたキー４５は、分割一覧表示されている領域を拡大イメージで表示するために選択されるものであり、詳細については後述する。
【００３３】また、図２８に示すように、分割一覧表示画面には、画像ファイリング装置に保存されている資料の各ページの画像の一部がページ番号と共に表示される。例えば、同図において、偶数ページの画像の一部がページ番号と共に左側の列に、奇数ページの画像の一部がページ番号と共に右側の列に一覧表示されている。これにより、操作者は画像ファイリング装置に保存されている資料中のページの整合性を確認することができる。
【００３４】また、操作者は、この分割一覧表示画面において上記の各種編集処理の対象とするページを、例えばキーボード３に設けられたカーソルキーやマウス４等によって選択指示することができる。なお、この選択指示は、ページ単位で行うこともできるし、分割一覧表示画面における行単位あるいは列単位で行うこともできる。同図では、右側の列の一番上に表示されたページ番号部分が暗表示された例を示しているが、このように、操作者がどのページを選択したかが分かるようになっている。
【００３５】ここで、上記したＳ１３ないしＳ１９の各編集処理の詳細な説明に先立って、画像管理情報について説明する。上記画像管理情報は、主に画像管理手段３０によって作成・更新され、図５に示す資料管理ファイルと図６に示すページ管理ファイルとにそれぞれ格納される。」
　
　サ　「【００８７】また、本画像ファイリング装置は、分割一覧表示画面の表示方法を、操作者の指定に応じて様々に変化させる。つまり、図２８に示した画面では、第１ページから第４０ページまでの各ページの画像の一部が切り出されて、これらが同時に一覧表示されているが、同図に示した表示状態はあくまでもその一例であって、操作指示手段２８にて操作者が行った指示に従って、画像加工手段３５は様々な表示状態を実現する。
【００８８】例えば、操作者が、１ページ分の画像から切り出して表示させる領域の大きさ（原画像の分割数Ｎ）を入力することにより、画像加工手段３５は一次記憶手段３２上の画像をＮ個の領域に分割し、これらの領域の１つを表示手段３４へ出力する。例えば、原画像の分割数Ｎとして１０が入力された場合、画像加工手段３５は、図３２に示すように、原稿１ページ分の画像を第１領域から第１０領域までの１０個の領域に分割する。
【００８９】なお、操作者が分割数Ｎを大きく設定する程、より小さな領域が切り出されて表示されるため、表示手段３４の画面により多くのページの小領域を同時に表示できる。一方、分割数Ｎを小さくすれば、同時に表示できるページ数は少なくなるが、各ページのより広い領域が表示される。つまり、操作者は必要に応じて分割数Ｎを設定すれば良い。また、分割した領域の内のいずれの領域を表示させるかを、操作者が操作指示手段２８にて指示することができる。」
　
　前掲ケないしサの記載によると引用例２には、
　
「資料原稿から読み取った画像を保存した画像ファイリング装置内の資料に対して、並び替えや頁入替処理、頁追加処理などの編集処理を操作者が指示する際、前記画像ファイリング装置に保存されている資料の各ページの画像の一部が表示された分割一覧表示画面を表示手段に表示し、操作者が、前記分割一覧表画面の下部に表示されたファインクションキーを指示すると共に、各種編集処理の対象となるページを選択指示する画像ファイリング装置。」
　
の発明（以下、「引用発明２」という。）が記載されていると認められる。
　
　（３）　対比
　本願補正発明と引用発明１とを対比する。
　引用発明１の「スキャナ部」、「蓄積装置」、「画像形成部」は、本願補正発明の「読み取り装置」、「記憶装置」、「印刷機」に相当する。また、引用発明１の「変更」とは、引用例１の段落【００３０】に記載されているように、「印刷濃度の変更」、「残り複写部数の変更」のようなものであって、ユーザが行う操作であるから、引用発明１の「変更された出力設定」は、本願補正発明の「ユーザの設定した出力設定」に相当する。さらに、引用発明１の「デジタル複写機」は、「スキャナ部で原稿を読み取り、読み取った画像データを蓄積装置に蓄積し、変更された出力設定を用いて、蓄積された画像データを用いて画像形成部において印刷する」ものであって、「デジタル複写機」がスキャナ装置、記憶装置、プリンタ装置などの複数の装置から構成される複合的な装置であることは技術常識であることを鑑みれば、引用発明１の「デジタル複写機」は、本願発明と同様に「デジタルコピーシステム」ということができる。したがって、引用発明１の「スキャナ部で原稿を読み取り、読み取った画像データを蓄積装置に蓄積し、変更された出力設定を用いて、蓄積された画像データを用いて画像形成部において印刷するデジタル複写機」は、本願補正発明の「読み取り装置で原稿を読み取り画像データを生成し、画像データを外部記憶装置に保存し、ユーザの設定した出力設定に従って保存した画像データを印刷機で印刷するデジタルコピーシステム」に相当する。
　引用発明１の「Ｎページの原稿」は、本願補正発明の「複数頁からなる一連の原稿」に相当するから、引用発明１の「Ｎページの原稿で複数部のコピーを行う際、ユーザがコントロールパネルから複写部数などの複写動作の設定を行うと共に試し印刷ボタンを押下し、１部目の印刷を終了した時点で一時停止し」との処理は、本願補正発明の「複数頁からなる一連の原稿の印刷にて複数部数出力指定であった場合に１部数分の印刷だけを出力設定に従って出力させ」ることに相当する。
　引用発明１の「ページ差し替え処理」は、本願補正発明の「一連の原稿の画像データに係る編集処理」に相当し、引用発明１において「ページ差し替え処理」の具体的な処理である、「ページの再読み込みを行わせ、蓄積装置４に蓄積されている画像データのうち指定したページの画像データと新しく読み込んだ画像データとを蓄積装置の内部で差し替えを行」うことは、「コントローラ」が行うものであるから、引用発明１の「コントローラ」は本願補正発明の「編集手段」に相当する。また、引用発明１は「ページ差し替えボタンを押す」ことにより、前記「差し替え処理」を開始することから、前記「ページ差し替えボタンを押す」こと、または、それに伴い発生されることが明らかな信号は、本願補正発明の「編集要求」に相当する。さらに、引用発明１の「部数表示部やページ表示部、差し替えボタン、コピーボタンなどから構成されるコントロールパネル」は、表示部を備え、ページ差し替えの操作、つまり編集要求を行うものであるから、本願補正発明の「表示装置」に相当する。したがって、引用発明１の「部数表示部やページ表示部、差し替えボタン、コピーボタンなどから構成されるコントロールパネルのページ差し替えボタンを押すことによってページ差し替え処理を開始し、コントローラは、ページの再読み込みを行わせ、蓄積装置４に蓄積されている画像データのうち指定したページの画像データと新しく読み込んだ画像データとを蓄積装置の内部で差し替えを行い」との処理は、本願補正発明の「一連の原稿の画像データに関る編集処理を編集手段により実行させる為の編集要求を、表示装置を介して、ユーザから受付け可能にし、且つ、該一連の原稿の画像データに関る前記編集要求に応じた編集処理を、前記編集手段により、実行させ」ることに相当する。
　引用発明１の「差し替えられた」画像データは、本願補正発明の「編集処理済み」の一連の原稿の画像データに相当する。したがって、引用発明１の「印刷が再開されたときに、差し替えられた画像データを用いて２部目以降の印刷を前記画像形成部により行う」ことは、本願補正発明の「編集処理済みの一連の原稿の画像データの印刷を印刷機により実行可能にする」ことに相当する。
　引用発明１は、ユーザが「コピーボタンを押す」ことにより「印刷の再開」を行うことから、前記「コピーボタンを押す」こと、または、それに伴い発生されることが明らかな信号は、本願補正発明の「印刷続行要求」に相当する。また、上述したように、引用発明１の「部数表示部やページ表示部、差し替えボタン、コピーボタンなどから構成されるコントロールパネル」は、本願補正発明の「表示装置」に相当する。よって、引用発明１の「印刷の再開として、ユーザが・・・前記コントロールパネルのコピーボタンを押すと、蓄積装置に蓄積された画像データを用いて前記画像形成部により２部目以降の印刷を再開する」ことは、本願補正発明の「一連の原稿の印刷を続行させる為の印刷続行要求を、表示装置を介して、ユーザから受け付け可能にし」及び「前記表示装置を介して該印刷続行要求をユーザから受付けた場合」に相当する。さらに、引用発明１においては、ユーザがページ差し替えボタンを押すことなく、前記コントロールパネルのコピーボタンを押した場合、【図４】からも明らかなように、ページ差し替え処理（編集処理）は当然実行されない。したがって、引用発明１が「印刷の再開として、ユーザがページ差し替えボタンを押すことなく、前記コントロールパネルのコピーボタンを押すと、蓄積装置に蓄積された画像データを用いて前記画像形成部により２部目以降の印刷を再開する」ものであること、及び【図４】の記載から、引用発明１には、本願補正発明の「一連の原稿の印刷を続行させる為の印刷続行要求を、表示装置を介して、ユーザから受け付け可能にし、且つ、前記表示装置を介して該印刷続行要求をユーザから受付けた場合に、編集手段による編集処理の実行無しに、前記一連の原稿の印刷を印刷機により続行可能にする」ことに相当する構成が認められる。
　
　以上を踏まえると、両者の一致点、相違点は以下のとおりである。
　
【一致点】
　読み取り装置で原稿を読み取り画像データを生成し、画像データを記憶装置に保存し、ユーザの設定した出力設定に従って保存した画像データを印刷機で印刷するデジタルコピーシステムにおいて、
　複数頁からなる一連の原稿の印刷にて複数部数出力指定であった場合に１部数分の印刷だけを出力設定に従って出力させ、且つ、
　前記一連の原稿の画像データに関る編集処理を編集手段により実行させる為の編集要求を、表示装置を介して、ユーザから受付け可能にし、且つ、該一連の原稿の画像データに関る前記編集要求に応じた編集処理を、前記編集手段により、実行させ、且つ、
　前記編集処理済みの前記一連の原稿の画像データの印刷を前記印刷機により実行可能にするものであって、
　前記一連の原稿の印刷を続行させる為の印刷続行要求を、前記表示装置を介して、ユーザから受け付け可能にし、且つ、前記表示装置を介して該印刷続行要求をユーザから受付けた場合に、前記編集手段による編集処理の実行無しに、前記一連の原稿の印刷を前記印刷機により続行可能にする、ことを特徴とするデジタルコピーシステム。」
　
【相違点】
　ａ　「記憶装置」が、本願補正発明では「外部」記憶装置であるのに対して、引用発明１では、デジタル複写機の「内部」の蓄積装置である点。
　
　ｂ　「編集要求」が、本願補正発明では「１部数分の印刷がなされた一連の原稿のプレビュー画像を表示装置に表示させ、且つ、表示装置によりプレビュー画像が表示された前記一連の原稿の画像データ」に関して行われるものであるのに対して、引用発明１では、部数表示部やページ表示部、差し替えボタン、コピーボタンなどから構成されるコントロールパネルのページ差し替えボタンを押すことにより、ページ差し替え（編集要求）を受付けており、プレビュー画像が表示された画像データに関して行われるものではない点。
　
　ｃ　「印刷続行要求」が、本願補正発明では「１部数分の印刷がなされた一連の原稿のプレビュー画像を表示装置により表示させる場合でも、前記一連の原稿に含まれる全ページのプレビュー画像を前記表示装置により表示させる事無く、前記一連の原稿の印刷を続行させる為の印刷続行要求を、少なくとも前記一連の原稿の１ページ分のプレビュー画像は表示させたままの状態」で行われるものであるのに対し、引用発明１では、部数表示部やページ表示部、差し替えボタン、コピーボタンなどから構成されるコントロールパネルのコピーボタンを押すことで、印刷の再開（印刷続行要求）が行われるものである点。
　
　（４）　当審の判断
　まず、上記相違点ａについて検討する。デジタル複写機の技術分野において、記憶装置を装置内部に設けることも、装置外部に設けることも、例を挙げるまでもなく周知な技術であって、記憶装置をどちらに設けるかは、当業者であれば適宜選択し得た設計変更にすぎない。したがって、引用発明１において、「蓄積手段」を外部記憶装置として構成することは、当業者が容易になし得たことである。
　
　次に、上記相違点ｂについて検討する。
引用発明２における「各ページの画像の一部」は、画像ファイリング装置内に保存された画像の一部が表示されたものであるから、本願補正発明の「プレビュー画像」に相当するものであるから、引用発明２は、本願補正発明の「原稿のプレビュー画像を表示装置に表示させ、且つ、表示装置によりプレビュー画像が表示された原稿の画像データ」に関して編集処理を指示（要求）する点で共通するものである。
　引用発明１において、蓄積装置に蓄積されている画像は「１部数分の印刷がなされた一連の原稿」であるのは、上記「３　対比」で述べた通りである。
　そして、引用発明１と引用発明２とは、記憶された画像に対して編集処理を行うという共通の機能に関するものであるから、引用発明１に引用発明２の技術を適用し、引用発明１において、「ページ差し替え（編集要求）」を「１部数分の印刷がなされた一連の原稿」の「プレビュー画像を表示装置に表示させ、且つ、表示装置によりプレビュー画像が表示された」前記一連の原稿の画像データに関して行うように構成することは、当業者が容易になし得た事項である。
　
　さらに、上記相違点ｃについて検討する。引用発明１において、蓄積装置に蓄積されている画像は、１部数分の印刷がなされた一連の原稿であること、それに対して印刷続行要求を行うものであることは、上記「３　対比」で述べた通りである。
　そして、一連の原稿に含まれる全ページのプレビュー画像を表示装置により表示させる事無く、前記一連の原稿の印刷を指示する為の印刷要求を、少なくとも前記一連の原稿の１ページ分のプレビュー画像は表示させたままの状態で、表示装置を介して、ユーザから受付け可能とすることは、印刷ページのプレビュー表示として用いられている慣用技術にすぎない（例えば、本件出願以前に発売されたマイクロソフト社の「Ｍｉｃｒｏｓｏｆｔ　Ｅｘｃｅｌ　Ｖｅｒ．４．０」などに実装されている。また、特開２００１−１８７４７９号公報（特に、段落【００２３】〜【００２４】）参照）。したがって、引用発明１において、印刷続行要求を行う際に、一連の原稿に含まれる全ページのプレビュー画像を表示装置により表示させる事無く、前記一連の原稿の印刷を指示する為の印刷続行要求を、少なくとも前記一連の原稿の１ページ分のプレビュー画像は表示させたままの状態で、表示装置を介して、ユーザから受付け可能とするよう構成することは、当業者が容易になし得たことである。
　
　そして、これら相違点を総合的に考慮してみても当業者が推考し難い格別のものであるとすることはできず、本願補正発明の奏する効果を検討してみても、引用例に記載された発明から想定される範囲を越えるものではない。
　
　したがって、本願補正発明は、引用例１及び２に記載された発明、並びに慣用技術に基づいて、当業者が容易に発明をすることができたものであるから、特許法２９条２項の規定により特許出願の際独立して特許を受けることができないものである。
　
　（５）　むすび
　以上のとおり、本件補正は、平成１８年改正前特許法第１７条の２第５項において準用する同法第１２６条第５項の規定に違反するので、特許法第１５９条第１項において読み替えて準用する同法第５３条第１項の規定により却下すべきものである。
　
第３　本願発明について
　１　本願発明
　平成１８年１１月７日付けの手続補正は上記のとおり却下されたので、本願の請求項１に係る発明（以下、「本願発明」という。）は、平成１８年２月１４日付けで補正された特許請求の範囲の請求項１に記載された以下のとおりのものである。
　
「【請求項１】
　読み取り装置で原稿を読み取り画像データを生成し、画像データを外部記憶装置に保存し、ユーザの設定した出力設定に従って保存した画像データを印刷機で印刷するデジタルコピーシステムにおいて、
　複数頁からなる一連の原稿の印刷にて複数部数出力指定であった場合に１部数分の印刷だけを出力設定に従って出力させ、且つ、
　前記１部数分の印刷がなされた一連の原稿のプレビュー画像を表示装置に表示させ、且つ、
　前記表示装置によりプレビュー画像が表示された前記一連の原稿の画像データに関る編集処理を編集手段により実行させる為の編集要求を、前記表示装置を介して、ユーザから受付け可能にし、且つ、該一連の原稿の画像データに関る前記編集要求に応じた編集処理を、前記編集手段により、実行させ、且つ、
　前記編集処理済みの前記一連の原稿の画像データの印刷を前記印刷機により実行可能にするものであって、
　前記一部数分の印刷がなされた前記一連の原稿のプレビュー画像を前記表示装置により表示させる場合でも、前記一連の原稿に含まれる全ページのプレビュー画像を前記表示装置により実行させる事無く、前記一連の原稿の印刷を続行させる為の印刷続行要求を、前記表示装置を介して、ユーザから受付け可能にし、且つ、前記表示装置を介して該印刷続行要求をユーザから受付けた場合に、前記編集手段による編集処理の実行無しに、前記一連の原稿の印刷を前記印刷機により続行可能にする、ことを特徴とするデジタルコピーシステム。」
　
　２　引用例
　引用例１、２及びその記載事項は、前記「第２　２　（２）」の項で認定したとおりである。
　
　３　対比・判断
　本願発明は、上記「第２　補正却下の決定」で検討した本願補正発明において、「印刷続行要求」を「ユーザから受付け可能」にする際の限定事項である「少なくとも前記一連の原稿の１ページ分のプレビュー画像は表示させたままの状態で」行うとの構成を省いたものである。
　そうすると、本願発明の構成要件をすべて含み、さらに他の構成要件を付加したものに相当する本願補正発明が、上記「第２　２　（４）」に記載したとおり、引用例１、２、及び慣用技術に基づいて、当業者が容易に発明をすることができたものであるから、本願発明も、同様の理由により、引用例１、２、及び慣用技術に基づいて、当業者が容易に発明をすることができたものである。
　
　４　むすび
　以上のとおり、本願発明は、引用例１、２、及び慣用技術に基づいて、当業者が容易に発明をすることができたものであるから、特許法２９条２項の規定により特許を受けることができない。
　したがって、本願は、他の請求項について検討するまでもなく、拒絶すべきものである。
　よって、結論のとおり審決する。